(57)【要約】【課題】スキャンモジュールの照明を制御することのできる画像読取装置及びその制御方法を提供する。【解決手段】本発明の両面スキャンモードをサポートする画像読取装置は、原稿を自動移送する原稿自動移送部と、第１光源を備えて原稿の第１面をスキャンする第１スキャン部と、第２光源を備えて原稿の第２面をスキャンする第２スキャン部と、原稿自動移送部に原稿を移送する間、予め設定された信号の一周期の間に第１光源及び第２光源が複数回交互に点灯するように制御する制御部と、を備える。【選択図】図３
2012142948.tif 000002
【特許請求の範囲】
【請求項１】
両面スキャンモードをサポートする画像読取装置であって、
原稿を自動移送する原稿自動移送部と、
第１光源を備えて前記原稿の第１面をスキャンする第１スキャン部と、
第２光源を備えて前記原稿の第２面をスキャンする第２スキャン部と、
前記原稿自動移送部に前記原稿を移送する間、予め設定された信号の一周期の間に前記第１光源及び前記第２光源が複数回交互に点灯するように制御する制御部と、を備えることを特徴とする画像読取装置。
【請求項２】
前記第１スキャン部及び前記第２スキャン部のそれぞれは、前記原稿を読み取って獲得した光信号を電気的な信号に変換するイメージセンサを更に含み、
前記制御部は、前記イメージセンサのラインタイム（Ｌｉｎｅ−Ｔｉｍｅ）の一周期の間、前記第１光源及び前記第２光源が複数回交互に点灯するように制御することを特徴とする請求項１に記載の画像読取装置。
【請求項３】
前記制御部は、前記第１スキャン部及び前記第２スキャン部のスキャンサブディレクション（Ｓｃａｎ  Ｓｕｂ−Ｄｉｒｅｃｔｉｏｎ）周期の間、前記第１光源及び前記第２光源が複数回交互に点灯するように制御することを特徴とする請求項１又は２に記載の画像読取装置。
【請求項４】
前記制御部は、前記予め設定された信号の一周期の間、前記第１光源及び前記第２光源が互いに異なる回数だけ点灯するように、又は前記第１光源及び前記第２光源の点灯デューティ（Ｄｕｔｙ）が相違するように制御することを特徴とする請求項１乃至３のいずれか一項に記載の画像読取装置。
【請求項５】
前記制御部は、前記予め設定された信号の一周期の間、前記第１光源及び前記第２光源が予め設定された時間の間に重複して点灯又は点滅されるように制御することを特徴とする請求項１乃至４のいずれか一項に記載の画像読取装置。
【請求項６】
前記制御部は、前記第１光源及び前記第２光源の交互点灯周期を、前記第１スキャン部及び前記第２スキャン部のモータ周期信号、副走査方向イメージデータのライン別の周期信号、及びスキャンサブディレクションレゾリューション（Ｓｃａｎ  Ｓｕｂ−Ｄｉｒｅｃｔｉｏｎ  Ｒｅｓｏｌｕｔｉｏｎ）及びスキャンスピード（Ｓｃａｎ  Ｓｐｅｅｄ）のうちの少なくともいずれか一つによる距離周期信号に応じて制御することを特徴とする請求項３に記載の画像読取装置。
【請求項７】
前記原稿自動移送部の用紙進入領域に設けられた第１センサ部と、
前記原稿自動移送部の用紙排出領域に設けられた第２センサ部と、を更に備え、
前記制御部は、前記第１センサ部及び前記第２センサ部のセンシング結果に基づいて前記第１光源及び前記第２光源が複数回交互に点灯するように制御することを特徴とする請求項１乃至６のいずれか一項に記載の画像読取装置。
【請求項８】
前記制御部は、前記第１光源及び前記第２光源が交互に点灯する際に、前記第１光源及び前記第２光源の光量が相違するように調整し、調整された光量に応じてスキャンされたイメージを補正するように制御することを特徴とする請求項１乃至７のいずれか一項に記載の画像読取装置。
【請求項９】
原稿を自動移送する原稿自動移送部と、第１光源を備えて前記原稿の第１面をスキャンする第１スキャン部と、第２光源を備えて前記原稿の第２面をスキャンする第２スキャン部と、を備え、両面スキャンモードをサポートする画像読取装置の制御方法であって、
両面スキャンのためのユーザ命令を入力するステップと、
前記ユーザ命令に従って前記原稿移送部に前記原稿を移送する間、予め設定された信号の一周期の間に前記第１光源及び前記第２光源を複数回交互に点灯するステップと、を有することを特徴とする画像読取装置の制御方法。
【請求項１０】
前記第１スキャン部及び前記第２スキャン部のそれぞれは、前記原稿を読み取って獲得した光信号を電気的な信号に変換するイメージセンサを更に含み、
前記第１光源及び前記第２光源を複数回交互に点灯するステップは、前記イメージセンサのラインタイム（Ｌｉｎｅ−Ｔｉｍｅ）の一周期の間、前記第１光源及び前記第２光源を複数回交互に点灯することを特徴とする請求項９に記載の画像読取装置の制御方法。
【請求項１１】
前記第１光源及び前記第２光源を複数回交互に点灯するステップは、前記第１スキャン部及び前記第２スキャン部のスキャンサブディレクション（Ｓｃａｎ  Ｓｕｂ−Ｄｉｒｅｃｔｉｏｎ）周期の間、前記第１光源及び前記第２光源を複数回交互に点灯することを特徴とする請求項９又は１０に記載の画像読取装置の制御方法。
【請求項１２】
前記第１光源及び前記第２光源を複数回交互に点灯するステップは、前記予め設定された信号の一周期の間、前記第１光源及び前記第２光源を互いに異なる回数だけ点灯するように、又は前記第１光源及び前記第２光源の点灯デューティ（Ｄｕｔｙ）が相違するように前記第１光源及び前記第２光源を点灯することを特徴とする請求項９乃至１１のいずれか一項に記載の画像読取装置の制御方法。
【請求項１３】
前記第１光源及び前記第２光源を複数回交互に点灯するステップは、前記予め設定された信号の一周期の間、前記第１光源及び前記第２光源を予め設定された時間の間に重複して点灯又は点滅することを特徴とする請求項９乃至１２のいずれか一項に記載の画像読取装置の制御方法。
【請求項１４】
前記第１光源及び前記第２光源を複数回交互に点灯するステップは、前記予め設定された信号の一周期の間、前記第１光源及び前記第２光源を予め設定された時間の間に重複して点滅することを特徴とする請求項９乃至１２のいずれか一項に記載の画像読取装置の制御方法。
【請求項１５】
前記第１光源及び前記第２光源を複数回交互に点灯するステップは、前記第１光源及び前記第２光源の交互点灯周期を、前記第１スキャン部及び前記第２スキャン部のモータ周期信号、副走査方向イメージデータのライン別の周期信号、及びスキャンサブディレクションレゾリューション（Ｓｃａｎ  Ｓｕｂ−Ｄｉｒｅｃｔｉｏｎ  Ｒｅｓｏｌｕｔｉｏｎ）及びスキャンスピード（Ｓｃａｎ  Ｓｐｅｅｄ）のうちの少なくともいずれか一つによる距離周期信号に応じて制御することを特徴とする請求項９乃至１４のいずれか一項に記載の画像読取装置の制御方法。
【発明の詳細な説明】
【技術分野】
【０００１】
本発明は、画像読取装置及びその制御方法に関し、より詳細には、両面スキャンが可能な画像読取装置及びその制御方法に関する。
【背景技術】
【０００２】
画像読取装置は、文書や絵、フイルムなどの原本イメージをスキャンしてデジタルデータに変換する装置である。この場合、デジタルデータは、コンピュータのモニタに表示されたり、プリンタによって印刷された出力イメージとして生成されたりする。画像読取装置は、デジタルデータを生成するスキャナだけでなく、ファクス機能を備えるファクシミリや、コピー機能を備えるコピー機及び複合機などにも使用可能である。
【０００３】
図１及び図２は、従来技術による問題点を説明するための図である。
【０００４】
図１に示すように、従来、両面スキャン構造のスキャン中の速度増加及び機構複雑度の軽減のために、一つの用紙パス（Ｐａｔｈ）上に両面をそれぞれスキャンできるスキャナを配置し、一つの用紙パスを用いて原稿を移送し、１回の原稿移送で原稿の表裏面、即ち両面を同時にスキャンする方法が適用される。この場合、それぞれのスキャンモジュールは、スキャンモジュールコントローラ（Ｓｃａｎ  Ｍｏｄｕｌｅ  Ｃｏｎｔｒｏｌｌｅｒ）から信号を受信して作動し、イメージセンサ、ＡＦＥ（ａｎａｌｏｇ  ｆｒｏｎｔ−ｅｎｄ）などのイメージ読み取りに必要な素子をコントロールする。
【０００５】
通常、このような両面スキャンシステムの動作効率の向上を図るため、スキャンモジュールを互いに近接して配置するが、それにより、それぞれのスキャンモジュールの照明系のクロストーク（Ｃｒｏｓｓ  Ｔａｌｋ）により原稿の背面が透ける現象が生じてしまう。
【０００６】
即ち、このような構造においては、二つのイメージセンサモジュールを隣接して配置することにより、同時に二つのセンサモジュールが作動することになり、相手のイメージセンサの照明によって読取イメージセンサに原稿の背面が投影されてスキャンされるおそれがあるという問題がある。
【０００７】
２つのスキャンモジュール（画像読取モジュール）は、近くに配置されるほど、用紙の移動区間を減らしてスキャン速度を上げることができ、スキャナの機構的な大きさを最小化することができる。また、画像読取区間における用紙のブレを防止するために求められる平坦区間の長さを確保することが容易になる。
【０００８】
しかし、２つのスキャンモジュールの距離が近くなればなるほど、図２のように互いの照明による用紙の背面が透ける現象が増加するようになる。一方のスキャンモジュールの照明から発せられる光は、他方のスキャンモジュールの結像部を通過してイメージセンサにまで到達するおそれがあり、このような照明系のクロストークによって、原稿の背面が透ける現象が生じてしまう。特に、このような現象は、コピー用紙の状態によってはより深刻化するおそれがあるという問題がある。
【先行技術文献】
【特許文献】
【０００９】
【特許文献１】特開第２００２−１１１９７７号公報
【特許文献２】特開第２００１−３３９５７６号公報
【特許文献３】特開平９−３２１９４７号公報
【発明の概要】
【発明が解決しようとする課題】
【００１０】
そこで、本発明は、上記従来の問題点に鑑みてなされたものであって、本発明の目的は、スキャンモジュールの照明を制御することのできる画像読取装置及びその制御方法を提供することにある。
【課題を解決するための手段】
【００１１】
上記目的を達成するためになされた本発明の一態様による両面スキャンモードをサポートする画像読取装置は、原稿を自動移送する原稿自動移送部と、第１光源を備えて前記原稿の第１面をスキャンする第１スキャン部と、第２光源を備えて前記原稿の第２面をスキャンする第２スキャン部と、前記原稿自動移送部に前記原稿を移送する間、予め設定された信号の一周期の間に前記第１光源及び前記第２光源が複数回交互に点灯するように制御する制御部と、を備える。
【００１２】
ここで、前記第１スキャン部及び前記第２スキャン部のそれぞれは、前記原稿を読み取って獲得した光信号を電気的な信号に変換するイメージセンサを更に含み、前記制御部は、前記イメージセンサのラインタイム（Ｌｉｎｅ−Ｔｉｍｅ）の一周期の間、前記第１光源及び前記第２光源が複数回交互に点灯するように制御することができる。
前記制御部は、前記第１スキャン部及び前記第２スキャン部のスキャンサブディレクション（Ｓｃａｎ  Ｓｕｂ−Ｄｉｒｅｃｔｉｏｎ）周期の間、前記第１光源及び前記第２光源が複数回交互に点灯するように制御してもよい。
前記制御部は、前記予め設定された信号の一周期の間、前記第１光源及び前記第２光源が互いに異なる回数だけ点灯するように制御してもよく、或いは前記第１光源及び前記第２光源の点灯デューティ（Ｄｕｔｙ）が相違するように制御してもよい。
前記制御部は、前記予め設定された信号の一周期の間、前記第１光源及び前記第２光源が予め設定された時間の間に重複して点灯されるように制御してもよく、或いは重複して点滅されるように制御してもよい。
前記制御部は、前記第１光源及び前記第２光源の交互点灯周期を、前記第１スキャン部及び前記第２スキャン部のモータ周期信号、副走査方向イメージデータのライン別の周期信号、及びスキャンサブディレクションレゾリューション（Ｓｃａｎ  Ｓｕｂ−Ｄｉｒｅｃｔｉｏｎ  Ｒｅｓｏｌｕｔｉｏｎ）及びスキャンスピード（Ｓｃａｎ  Ｓｐｅｅｄ）のうちの少なくともいずれか一つによる距離周期信号に応じて制御することができる。
画像読取装置は、前記原稿自動移送部の用紙進入領域に設けられた第１センサ部と、前記原稿自動移送部の用紙排出領域に設けられた第２センサ部と、を更に備え、前記制御部は、前記第１センサ部及び前記第２センサ部のセンシング結果に基づいて前記第１光源及び前記第２光源が複数回交互に点灯するように制御してもよい。
前記制御部は、前記第１光源及び前記第２光源が交互に点灯する際に、前記第１光源及び前記第２光源の光量が相違するように調整し、調整された光量に応じてスキャンされたイメージを補正するように制御してもよい。
【００１３】
上記目的を達成するためになされた本発明の一態様による原稿を自動移送する原稿自動移送部と、第１光源を備えて前記原稿の第１面をスキャンする第１スキャン部と、第２光源を備えて前記原稿の第２面をスキャンする第２スキャン部とを備え、両面スキャンモードをサポートする画像読取装置の制御方法は、両面スキャンのためのユーザ命令を入力するステップと、前記ユーザ命令に従って前記原稿移送部に前記原稿を移送する間、予め設定された信号の一周期の間に前記第１光源及び前記第２光源を複数回交互に点灯するステップと、を有する。
【００１４】
ここで、前記第１スキャン部及び前記第２スキャン部のそれぞれは、前記原稿を読み取って獲得した光信号を電気的な信号に変換するイメージセンサを更に含み、前記第１光源及び前記第２光源を複数回交互に点灯するステップは、前記イメージセンサのラインタイム（Ｌｉｎｅ−Ｔｉｍｅ）の一周期の間、前記第１光源及び前記第２光源を複数回交互に点灯することができる。
前記第１光源及び前記第２光源を複数回交互に点灯するステップは、前記第１スキャン部及び前記第２スキャン部のスキャンサブディレクション（Ｓｃａｎ  Ｓｕｂ−Ｄｉｒｅｃｔｉｏｎ）周期の間、前記第１光源及び前記第２光源を複数回交互に点灯してもよい。
前記第１光源及び前記第２光源を複数回交互に点灯するステップは、前記予め設定された信号の一周期の間、前記第１光源及び前記第２光源を互いに異なる回数だけ点灯してもよく、或いは前記第１光源及び前記第２光源の点灯デューティ（Ｄｕｔｙ）が相違するように前記第１光源及び前記第２光源を点灯してもよい。
前記第１光源及び前記第２光源を複数回交互に点灯するステップは、前記予め設定された信号の一周期の間、前記第１光源及び前記第２光源を予め設定された時間の間に重複して点灯してもよく、或いは重複して点滅してもよい。
前記第１光源及び前記第２光源を複数回交互に点灯するステップは、前記第１光源及び前記第２光源の交互点灯周期を、前記第１スキャン部及び前記第２スキャン部のモータ周期信号、副走査方向イメージデータのライン別の周期信号、及びスキャンサブディレクションレゾリューション（Ｓｃａｎ  Ｓｕｂ−Ｄｉｒｅｃｔｉｏｎ  Ｒｅｓｏｌｕｔｉｏｎ）及びスキャンスピード（Ｓｃａｎ  Ｓｐｅｅｄ）のうちの少なくともいずれか一つによる距離周期信号に応じて制御することができる。
【発明の効果】
【００１５】
本発明によれば、第１スキャン部と第２スキャン部とを交互に点灯することにより、第１スキャン部及び第２スキャン部のそれぞれの光が互いに入り込まないようになるため、背面が透ける現象などの画像劣化を生じることなく、綺麗な画質を得ることができるようになる。また、照明制御により光の照射量及びイメージデータのゲインファクタを調整することで綺麗な画像を読み取ることができるようになる。
【図面の簡単な説明】
【００１６】
【図１】従来技術による問題点を説明するための図である。
【図２】従来技術による問題点を説明するための図である。
【図３】本発明の多様な実施形態による画像読取装置の構成を示すブロック図である。
【図４】本発明の多様な実施形態による画像読取装置の構成を示すブロック図である。
【図５】本発明の一実施形態による画像形成装置の構成を示すブロック図である。
【図６】図４に示した画像読取装置の動作を説明するための図である。
【図７】本発明の一実施形態による交互点灯の制御方法を説明するための図である。
【図８】本発明の一実施形態による両面スキャン時の光照射方法を説明するための図である。
【図９】本発明の一実施形態によるイメージデータの変換過程を示す図である。
【図１０】本発明の一実施形態によるイメージデータの変換過程を示す図である。
【図１１】本発明の多様な実施形態による光源調節方法を説明するための図である。
【図１２】本発明の多様な実施形態による光源調節方法を説明するための図である。
【図１３】本発明の一実施形態によるスキャンの制御方法を説明するためのフローチャートである。
【図１４】本発明の多様な実施形態による照明系の制御方法を説明するための図である。
【図１５】本発明の多様な実施形態による照明系の制御方法を説明するための図である。
【図１６】本発明の多様な実施形態による照明系の制御方法を説明するための図である。
【図１７】本発明の他の実施形態によるスキャンの制御方法を説明するためのフローチャートである。
【発明を実施するための形態】
【００１７】
以下、本発明の画像読取装置及びその制御方法を実施するための形態の具体例を、図面を参照しながら詳細に説明する。
【００１８】
図３及び図４は、本発明の多様な実施形態による画像読取装置の構成を示すブロック図である。
【００１９】
図３を参照すると、本実施形態による画像読取装置１００は、第１スキャン部１１０、第２スキャン部１２０、原稿自動移送部１３０、及び制御部１４０を含む。
【００２０】
画像読取装置１００は、光を走査して原稿に記録された画像を読み取る装置として、コピー機やプリンタやファクシミリ又はこれらの機能を一つの装置に複合的に実現した複合機のような画像形成装置に搭載されるように具現することができる。
【００２１】
画像読取装置１００は、原稿の第１面をスキャンする第１スキャン部１１０と原稿の第２面をスキャンする第２スキャン部１２０とを対向するように設置して原稿の両面をスキャンすることができる。これは、原稿の移送方向を反転させる方法に比べて、原稿をむやみに循環させることなく原稿の両面をほぼ同時にスキャンするため、高速両面スキャンが可能であるという利点がある。
【００２２】
第１スキャン部１１０は、原稿の第１面をスキャンする機能を備え、原稿に光を走査する第１光源を備える。
【００２３】
第２スキャン部１２０は、原稿の第２面をスキャンする機能を備え、原稿に光を走査する第２光源を備える。
【００２４】
第１スキャン部１１０及び第２スキャン部１２０は、スキャニングモジュールとして具現され、スキャニングモジュールは、備えられた光源を介して原稿に光を走査し、原稿に印刷された可視画像を光信号の形態で読み取って、読み取られた光信号を電気的な信号に変換して信号処理モジュール（図示せず）に提供する。
【００２５】
光源はＣＦＬ（ｃｏｍｐａｃｔ  ｆｌｕｏｒｅｓｃｅｎｔ  ｌａｍｐ）、Ｘｅ−Ｌａｍｐ等のランプ、ＬＥＤなどで具現することができる。
【００２６】
原稿自動移送部１３０は、原稿を自動移送する機能を備え、ＡＤＦ（Ａｕｔｏｍａｔｉｃ  Ｄｏｃｕｍｅｎｔ  Ｆｅｅｄｅｒ）で実現することができる。
【００２７】
制御部１４０は、両面スキャン時に、原稿自動移送部１３０に原稿を移送する間、第１スキャン部１１０及び第２スキャン部１２０に備えられた第１光源及び第２光源が少なくとも一回交互に点灯するように制御する。具体的に、制御部１４０は予め設定された信号の一周期内で第１光源及び第２光源が複数回交互に点灯するように制御する。
【００２８】
制御部１４０は、予め設定された信号の一周期の間、第１光源及び第２光源が互いに異なる回数だけ点灯するように制御してもよく、或いは第１光源及び第２光源の点灯デューティ（Ｄｕｔｙ）が相違するように制御してもよい。
【００２９】
また、制御部１４０は、予め設定された信号の一周期の間、第１光源及び第２光源が予め設定された時間の間に重複して点灯されるように制御してもよく、或いは重複して点滅されるように制御してよい。
【００３０】
一方、第１スキャン部１１０及び第２スキャン部１２０のそれぞれは、原稿自動移送部１３０を介して移送される原稿を読み取って獲得した光信号を電気的な信号に変換する第１イメージセンサ（図示せず）及び第２イメージセンサ（図示せず）を更に含む。ここで、イメージセンサとしては、ＣＣＤ（Ｃｈａｒｇｅ  Ｃｏｕｐｌｅｄ  Ｄｅｖｉｃｅ）、ＣＩＳ（Ｃｏｎｔａｃｔ  Ｉｍａｇｅ  Ｓｅｎｓｏｒ）などが適用される。
【００３１】
この場合、制御部１４０は、第１イメージセンサ及び第２イメージセンサのラインタイム（Ｌｉｎｅ−Ｔｉｍｅ）の一周期の間、第１光源及び第２光源が複数回交互に点灯するように制御する。
【００３２】
制御部１４０は、第１光源及び第２光源の交互点灯周期を、イメージセンサのラインタイム信号に同期させ、ＰＷＭ（Ｐｕｌｓｅ  Ｗｉｄｔｈ  Ｍｏｄｕｌａｔｉｏｎ）信号に応じて制御してもよい。
【００３３】
制御部１４０は、交互点灯信号をイメージセンサのラインタイム信号に同期させない場合、ＰＷＭパルスの周波数を高めて光偏差を減らしてもよい。
【００３４】
また、制御部１４０は、ＰＷＭパルス周波数とデューティ（Ｄｕｔｙ）とを変更して光偏差を最小化するようにしてもよい。
【００３５】
制御部１４０は、第１光源及び第２光源が第１スキャン部１１０及び第２スキャン部１２０のスキャンサブディレクション（Ｓｃａｎ  Ｓｕｂ−Ｄｉｒｅｃｔｉｏｎ）信号の一周期の間に少なくとも一回交互に点灯するように制御してもよい。
【００３６】
ここで、制御部１４０は、第１光源及び第２光源の交互点灯周期をスキャンサブディレクション周期信号に同期させてもよい。
【００３７】
制御部１４０は、第１及び第２スキャン部１１０、１２０に備えられたモータ周期信号、副走査方向イメージデータのライン別の周期信号、及びスキャンサブディレクションレゾリューション（Ｓｃａｎ  Ｓｕｂ−Ｄｉｒｅｃｔｉｏｎ  Ｒｅｓｏｌｕｔｉｏｎ）及びスキャンスピード（Ｓｃａｎ  Ｓｐｅｅｄ）のうちの少なくともいずれか一つによる距離周期信号に応じて、第１光源及び第２光源が交互に点灯するように制御することができる。
【００３８】
図４は、本発明の多様な実施形態による画像読取装置の構成の他の例を示すブロック図である。
【００３９】
図４を参照すると、画像読取装置２００は、  第１スキャン部２１０、第２スキャン部２２０、原稿自動移送部２３０、制御部２４０、第１センサ部２５０、及び第２センサ部２６０を含む。図４に示した構成要素のうち、図３に示した構成要素と重複する構成については、詳細な説明を省略する。
【００４０】
少なくとも一つの第１センサ部２５０は、第１スキャン部２１０の用紙進入領域に設けられて用紙の移送を検知する。
【００４１】
少なくとも一つの第２センサ部２６０は、第２スキャン部２２０の用紙排出領域に設けられて用紙の移送を検知する。
【００４２】
制御部２４０は、第１センサ部２５０で用紙が検知されると、第１光源が交互に点灯を開始し、予め設定された時間が経過した後、第２光源が交互に点灯を開始するように制御する。
【００４３】
制御部２４０は、第１センサ部２５０及び第２センサ部２６０で用紙が検知されない場合、第１光源及び第２光源の交互点灯を中止し、第１光源及び第２光源が点滅するように制御する。
【００４４】
なお、場合によって、第１センサ部２５０及び第２センサ部２６０の間に、少なくとも一つの第３センサ部（図示せず）を設けてもよい。
【００４５】
図５は、本発明の一実施形態による画像形成装置の構成を示すブロック図である。
【００４６】
図５を参照すると、画像形成装置３００は、図３又は図４に示した画像読取装置１００、２００と、入力部３１０、レンダリング部（図示せず）、画像処理部３２０、出力部３３０、ユーザインターフェース３４０、通信インターフェース部３５０、保存部３６０、及び制御部３７０を含む。
【００４７】
画像形成装置３００は、外部装置と接続可能であり、文書データを出力する機能を備えるものとして、プリンタ、スキャナ、コピー機、ファクシミリ、プリンタやスキャナやコピー機又はファクシミリの機能のうちの二つ以上の機能を備える複合機のような多様な形態で具現することができる。
【００４８】
画像読取装置１００、２００の構成は、図３及び第４で説明した内容と同様であるため、詳細な説明は省略する。
【００４９】
入力部３１０は、画像処理のための画像データを入力する機能を備える。
【００５０】
具体的に、入力部３１０は印刷イメージ又はスキャンイメージを入力して生成する機能を備える。即ち、入力部３１０は、ホスト装置（図示せず）に備えられた応用プログラム又はドライバを通じて生成されたイメージ、又はエミュレーション（Ｅｍｕｌａｔｉｏｎ）などを通じて生成されたＲＧＢレンダリング（Ｒｅｎｄｅｒｉｎｇ）イメージなどを入力する。なお、コピーの場合には、ＲＧＢセンサでスキャンされたスキャンイメージを入力する。
【００５１】
レンダリング部（図示せず）は、入力部３１０を介して入力された画像データをＲＧＢ空間のビットマップデータに変換する機能を備える。
【００５２】
画像処理部３２０は、制御部３７０の制御に従って入力データに対する画像処理を行なう機能を備える。
【００５３】
具体的に、画像処理部３２０は、ＲＧＢで生成されたチャネル別の８ｂｉｔイメージを、カラー変換を通じてＣＭＹＫ色相を持つイメージに変換し、変換されたイメージに対して画質改善を行ない、ハーフトーニング（Ｈａｌｆｔｏｎｉｎｇ）を通じて１ｂｉｔイメージ（二進データ）で生成することができる。
【００５４】
出力部３３０は、制御部３７０の制御に従って、画像処理部３２０によって画像処理されたデータを記録媒体に印刷して出力する役割を果たす。出力部３３０は、画像読取装置１００、２００で入力される信号やＰＣなどのような外部機器から入力される信号に応じて画像を印刷するものとして、印刷媒体である用紙を供給する給紙ユニット、用紙に画像を現像する現像ユニット、用紙に熱と圧力を加えて現像された画像を用紙に固着させる定着ユニット、及び印刷が終了した用紙を外部に排出する排紙ユニットを備えることができる。
【００５５】
一実施形態によると、用紙トレイに積載されている用紙は、ピックアップローラによって現像ユニット側に移送される。帯電ローラによって所定電位で帯電された感光体の表面には露光ユニットによって静電潜像が形成され、この静電潜像は、現像ローラによってトナー画像に現像された後、転写ローラによって用紙に転写される。用紙に転写されたトナー画像は、定着ユニットの過熱ローラと加圧ローラとの間を通過しながら熱と圧力によって用紙に融着され、定着ユニットを通過した用紙は、複数の排紙ローラによって移送されて外部に排出される。
【００５６】
ユーザインターフェース部３４０は、画像形成装置の動作を制御するためのユーザ命令が入力される操作キー（図示せず）及び画像形成装置の状態を表示するためのＬＣＤ（Ｌｉｑｕｉｄ  Ｃｒｙｓｔａｌ  Ｄｉｓｐｌａｙ）のような表示ウィンドウ（図示せず）を含む。なお、ユーザインターフェース部３５０は、タッチパッドのように、入力と出力とが同時に実現される装置として具現可能である。
【００５７】
なお、ユーザインターフェース部３４０は、画像読取装置１００、２００から提供される各種情報、画像形成装置３００で進行中のジョブの進行事項、及びその結果を表示することができる。ユーザは、ユーザインターフェース部３４０を介して画像形成装置３００内の各種印刷ジョブを確認することができ、管理制御することもできる。
【００５８】
通信インターフェース部３５０は、ネットワークを通じた外部装置（図示せず）とのデータ通信をサポートする。例えば、通信インターフェース部３５０は、ＤＬＮＡネットワーク、ローカル方式、構内通信網（ＬＡＮ：Ｌｏｃａｌ  Ａｒｅａ  Ｎｅｔｗｏｒｋ）、及びインターネット網などをサポート可能な形態で具現できる。特に、通信インターフェース部３５０は、ホスト装置（図示せず）に備えられた応用プログラム又はドライバなどを通じて生成されたイメージ、又はエミュレーション（Ｅｍｕｌａｔｉｏｎ）などを通じて生成されたＲＧＢレンダリング（Ｒｅｎｄｅｒｉｎｇ）イメージを受信して入力部３１０に提供することができる。
【００５９】
一方、図５では、上述の入力部３１０と通信インターフェース部３５０とが、ハードウェア的に別個の構成であるものとして示しているが、これは一実施形態に過ぎず、通信インターフェース部３５０そのものを入力部３１０で具現することも可能である。
【００６０】
保存部３６０は、画像形成装置３００内の保存媒体及び外部保存媒体、例えばＵＳＢメモリを含むリムーバブルディスク（Ｒｅｍｏｖａｂｌｅ  Ｄｉｓｋ）、ホスト（Ｈｏｓｔ）に接続された保存媒体、ネットワークを通じたウェブサーバ（Ｗｅｂ  Ｓｅｒｖｅｒ）などで具現できる。
【００６１】
制御部３７０は、予め保存された各種プログラムに応じて、画像形成装置３００の各構成要素の動作を制御する機能を備える。
【００６２】
具体的に、制御部３７０は、上述の入力部３１０、画像処理部３２０、出力部３３０、ユーザインターフェース部３４０、通信インターフェース部３５０、及び保存部３６０の動作を制御する。
【００６３】
一方、本実施形態では、画像形成装置３００に備えられた構成要素によって制御されるものとして説明したが、これは一実施形態に過ぎず、上述の全機能は画像形成装置３００と接続されたホスト装置（図示せず）に備えられたプリンタドライバ（図示せず）又はアプリケーション（図示せず）を介して制御されてもよい。
【００６４】
図６は、図４に示した画像読取装置の動作を説明するための図である。
【００６５】
図６を参照すると、両面スキャン時に、スキャンモジュール１、２（図４の第１スキャン部２１０及び第２スキャン部２２０）の照明系が互いに干渉現象を引き起こすことを減少することができる。即ち、照明系の干渉現象を除去又は軽減するために、スキャンモジュール１、２（第１及び第２スキャン部２１０、２２０）の光源を制御する。
【００６６】
図６に示したように、原稿自動移送部２３０の用紙移送経路上に二つの検知センサＳ１、Ｓ２（第１及び第２センサ部２５０、２６０）を取り付けて用紙の給紙状態を確認する。この場合、用紙の給紙状態信号を制御部２４０に伝送し、制御部２４０はこの給紙状態信号を用いて照明系を制御する。ここで、制御部２４０はスキャンモジュールコントローラとして具現できる。
【００６７】
本実施形態によると、照明系の点灯状態は下記の表１のように制御することができる。
【００６８】
【表１】
2012142948.tif 000003
【００６９】
上記の表１に示すように、原稿をスキャンすると、原稿の給紙状態を検知する検知センサＳ１（第１センサ部２５０）によって原稿がスキャン部に給紙されていることを認知することができる。この信号は、制御部２４０に送信され、制御部２４０を介してスキャンモジュール２（第２スキャン部２２０）の照明系とスキャンモジュール１（第１スキャン部２１０）の照明系とが交互に点灯し始めるようになる。
【００７０】
一方、本発明の他の実施形態によると、照明系の点灯状態は下記の表２のように制御できる。
【００７１】
【表２】
2012142948.tif 000004
【００７２】
上記の表２に示したように、照明系を交互に点灯する際、第１検知センサＳ１がＯＦＦ、第２検知センサＳ２がＯＮの場合、スキャンモジュール１（第１スキャン部２１０）の光源を先に点滅することができる。
【００７３】
また、本発明の更に他の実施形態によると、照明系の点灯状態は下記のような表３のように制御してもよい。
【００７４】
【表３】
2012142948.tif 000005
【００７５】
表３に示したように、照明系を交互に点灯する際、第１検知センサＳ１がＯＮ、第２検知センサＳ２がＯＦＦの場合、スキャンモジュール１（第１スキャン部２１０）の光源を先に点灯した後、所定時間が経過した後にスキャンモジュール２（第２スキャン部２２０）の光源を点灯することができる。
【００７６】
また、本発明の更に他の実施形態によると、照明系の点灯状態は下記のような表４のように制御してもよい。
【００７７】
【表４】
2012142948.tif 000006
【００７８】
表４に示したように、上記表２、３に示した点灯状態を組み合わせて照明系の点灯状態を制御することができる。
【００７９】
上述のように、交互に点灯が開始する時期及び終了する時期は、用紙検知センサの数量及び位置に応じて調整することができる。
【００８０】
図７は、本発明の一実施形態による交互点灯の制御方法を説明するための図である。
【００８１】
図７を参照すると、スキャンモジュール１（第１スキャン部２１０）及びスキャンモジュール２（第２スキャン部２２０）が予め設定された信号によって同期され、この予め設定された信号の一周期の間、スキャンモジュール１（第１スキャン部２１０）及びスキャンモジュール２（第２スキャン部２２０）は少なくとも一回以上交互に点灯する。
【００８２】
この時、同期信号は、スキャンモジュール１、２（第１及び第２スキャン部２１０、２２０）の受光部及びイメージセンサ１、２（２１２、２２２）のラインタイム（Ｌｉｎｅ−Ｔｉｍｅ）（Ｓｈｕｔｔｅｒ  Ｔｉｍｅ）、及びスキャンサブディレクション（Ｓｃａｎ  Ｓｕｂ−Ｄｉｒｅｃｔｉｏｎ）周期信号のうち、少なくともいずれか一つを使用することができる。
【００８３】
ここで、スキャンサブディレクション（Ｓｃａｎ  Ｓｕｂ−Ｄｉｒｅｃｔｉｏｎ）周期信号は、スキャンモジュール１、２（第１及び第２スキャン部２１０、２２０）のモータ周期信号、副走査方向イメージデータのライン別の周期信号、及びスキャンサブディレクションレゾリューション（Ｓｃａｎ  Ｓｕｂ−Ｄｉｒｅｃｔｉｏｎ  Ｒｅｓｏｌｕｔｉｏｎ）及びスキャンスピード（Ｓｃａｎ  Ｓｐｅｅｄ）による距離周期信号のうち、少なくともいずれか一つを含むことができる。
【００８４】
制御部２４０は、スキャンモジュール１（第１スキャン部２１０）の照明ＯＮ時間とスキャンモジュール２（第２スキャン部２２０）の照明ＯＮ時間との間に、一定の時間間隔が発生するように制御する。この時、それぞれのスキャンモジュールが必要とする光の量が異なるため、それぞれに適切な時間だけ照明を点灯する。
【００８５】
例えば、スキャンモジュール１（第１スキャン部２１０）は１回の交互周期を３５％の時間の間、スキャンモジュール２（第２スキャン部２２０）は１回の交互周期を４５％の時間の間、光を有することが最適の条件である場合、１回の周期の間２０％の時間だけスキャンモジュール１（第１スキャン部２１０）とスキャンモジュール２（第２スキャン部２２０）の照明が点滅されるようにする。この時間は、スキャンモジュール１（第１スキャン部２１０）とスキャンモジュール２（第２スキャン部２２０）との時間差であってもよい。ここで、受光部の光量が飽和するＭａｘｉｍｕｍ  Ｓｐｅｃの９０％に合わせることが画質を綺麗にする上で望ましい。
【００８６】
なお、交互周期内でスキャンモジュール１、２（第１及び第２スキャン部２１０、２２０）が複数回点灯できるように拡張されてもよい。
【００８７】
一方、予め設定された信号がスキャンサブディレクション（Ｓｃａｎ  Ｓｕｂ−Ｄｉｒｅｃｔｉｏｎ）信号である場合、例えば、スキャン時に６００ｄｐｉと３００ｄｐｉを使用する場合、下記のような方法で制御される。
【００８８】
６００ｄｐｉと３００ｄｐｉの動作時に、スキャンサブディレクション（Ｓｃａｎ  Ｓｕｂ−Ｄｉｒｅｃｔｉｏｎ）の距離が相違する。即ち、スキャンディレクションレゾリューション（Ｓｃａｎ  Ｄｉｒｅｃｔｉｏｎ  Ｒｅｓｏｌｕｔｉｏｎ）及びスキャンスピード（Ｓｃａｎ  Ｓｐｅｅｄ）によってその距離が異なるため、交互点灯時間をこの距離に合わせる。これにより、スキャンディレクションレゾリューション（Ｓｃａｎ  Ｄｉｒｅｃｔｉｏｎ  Ｒｅｓｏｌｕｔｉｏｎ）及びスキャンスピード（Ｓｃａｎ  Ｓｐｅｅｄ）のうちの少なくともいずれか一方による距離をテーブルに作成して使うことができる。例えば、３００ｄｐｉ及び６００ｄｐｉの場合は、倍数関係に設定することにより、簡単にコントロールすることができる。
【００８９】
上述のように、スキャンモジュール１とスキャンモジュール２を交互に点灯することによって、スキャンモジュール２の光がスキャンモジュール１に、又はその逆で入り込まないようになるため、背面が透ける現象などの画像劣化を生じることなく、光源コントローラを通じて綺麗な画質を得ることができるようになる。
【００９０】
図８は、本発明の一実施形態による両面スキャン時の光照射方法を説明するための図である。
【００９１】
図８に示すように、原稿の両面をスキャンする際、光源１（１１１）の光量がセンサ１（１１２）に照射されてイメージデータを読み取り、光源２（１２１）の光量がセンサ２（１２２）に照射されてイメージデータを読み取る。
【００９２】
図９及び図１０は、本発明の一実施形態によるイメージデータの変換過程を示す図である。
【００９３】
図９に示すように、それぞれのスキャンモジュール１（第１スキャン部１１０）とスキャンモジュール２（第２スキャン部１２０）とが読み取ったイメージデータの光量は、アナログデータの電圧（Ｖｏｌｔａｇｅ）で示され、これは再びＡＤＣ（Ａｎａｌｏｇ  ｔｏ  Ｄｉｇｉｔａｌ  Ｃｏｎｖｅｒｔｅｒ）を通じてデジタルコード（Ｄｉｇｉｔａｌ  Ｃｏｄｅ）に変更される。
【００９４】
アナログデータをデジタルコードに変更する過程で、ＡＤＣはインプットコンディション（Ｉｎｐｕｔ  Ｃｏｎｄｉｔｉｏｎ）のアナログイメージデータの電圧範囲（Ｖｏｌｔａｇｅ  Ｒａｎｇｅ）に制限（Ｌｉｍｉｔ）を設ける。
【００９５】
図１０に示すように、一定のアナログイメージデータの範囲内でデジタルイメージデータに変換（Ｃｏｎｖｅｒｓｉｏｎ）が可能である。その他の領域は、ＡＤＣが表現できない値であるため、スキャンモジュールは最大限にアナログイメージデータの限度内でデジタルコードに変換しなければならない。
【００９６】
例えば、イメージデータが０Ｖ〜２Ｖ内で表現される場合に２８（２５６）レベルを用いてイメージを表示してイメージが正常に表現されるように構成すると、０Ｖ〜０．３Ｖ内で表現される場合、イメージを正常に表現することができない。
【００９７】
通常、スキャンモジュールに応じてセンサの感度（Ｓｅｎｓｉｔｉｖｉｔｙ）や光源（Ｌｉｇｈｔ  Ｓｏｕｒｃｅ）のＬｕｍｉｎａｎｃｅなどが異なり、アナログイメージデータの出力量が異なる。しかし、ＣＣＤのような受光部は可変しにくく、下記の表のように、最大（Ｍａｘ）光量が範囲の限度を超える場合、光源の光量を制御してＬｕｍｉｎａｎｃｅ量が限度を超えないように調節する必要がある。
【００９８】
即ち、光を周期的にＯＮ／ＯＦＦすることにより、各スキャンモジュールの最終出力であるアナログイメージデータの出力最大量を調節することができる。アナログイメージデータがＦｕｌｌ  Ｒａｎｇｅ  Ｓｐｅｃ［ＭＡＸ］を超えるとイメージが表現されず、Ｆｕｌｌ  Ｒａｎｇｅ  Ｓｐｅｃより小さすぎると、イメージが表現されないため、Ｍａｘの９０％水準でアナログイメージデータの最大量を調節することが望ましい。
【００９９】
例えば、下記の表のようになる。
【０１００】
2012142948.tif 000007
【０１０１】
なお、ＣＣＤのラインタイム（Ｌｉｎｅ−Ｔｉｍｅ）の一周期内で複数回交互に点灯をすることで、光量に対する許容差（Ｔｏｌｅｒａｎｃｅ）が減り、画像の許容差を減らすことができる。
【０１０２】
即ち、図１１に示すように、１ｋＨｚでＯｎ／Ｏｆｆする光源と、図１２のように、２ｋＨｚでＯｎ／Ｏｆｆする場合、センサの各Ｌｉｎｅ−Ｔｉｍｅ周期内で光の周波数に応じてＯｎ／Ｏｆｆされる回数が異なってくる。
【０１０３】
図１１の場合、各Ｌｉｎｅ−Ｔｉｍｅ内での光量の偏差が１２．５％（１００×（８−７）／８）であり、図１２の場合、各Ｌｉｎｅ−Ｔｉｍｅ内での光量の偏差は６．６％（１００×（１５−１４）／１５）である。従って、光量が素早くＯｎ／Ｏｆｆするほど、光量の偏差が減ることになる。
【０１０４】
この光量はそのまま画質に影響を与えることになり、ビデオイメージに、図１１の場合、１２．５％のノイズが、図１２の場合、６．６％のノイズが発生することになる。
【０１０５】
なお、例えば、６００ｄｐｉのスキャン時に、光源を２回点滅させると、１２００ｄｐｉでスキャンされる効果を一部得ることができるため、光源を複数回点滅させることで、高レゾリューションの効果も期待できる。
【０１０６】
上述のように、イメージデータを綺麗にするためには、受光部内のイメージセンサのＬｉｎｅ−Ｔｉｍｅ信号の一周期内で、複数回交互に点灯することが望ましい。
【０１０７】
この時、光源の特性上、ＣＣＦＬ、Ｘｅ−Ｌａｍｐ等のランプは、５０ｋＨｚ〜１００ｋＨｚに、ＬＥＤの場合は、ＬＥＤ  Ｄｒｉｖｅｒ及びＬＥＤ  Ｓｗｉｔｃｈｉｎｇ  Ｒｅｓｐｏｎｓｅ効率などを考慮すると、２００ｋＨｚ以下で動作させることが望ましい。
【０１０８】
場合によっては、次のような手続きが可能である。
【０１０９】
光源の応答時間（Ｒｅｓｐｏｎｓｅ  Ｔｉｍｅ）を考慮し、２００ｋＨｚのように特定周波数に合わせてより正確な周波数を探すため、シェーディング補正（Ｓｈａｄｉｎｇ  Ｃｏｒｒｅｃｔｉｏｎ）のようなイメージ補正のための前処理（Ｐｒｅ−ｐｒｏｃｅｓｓｉｎｇ）を用いて適切な光量を発するか、又はセンサ出力レベル（Ｓｅｎｓｏｒ  Ｏｕｔｐｕｔ  Ｌｅｖｅｌ）を確認して、周波数及び周期を調整する。
【０１１０】
具体的に、イメージ補正のための交互点灯に対する手続きを、図１３に示すスキャン制御方法のフローチャートにより説明する。
【０１１１】
先ず、画像読取装置のスキャンモジュールコントローラ（制御部）は、交互点灯を設定し（ステップＳ９１０）、スキャンモジュールコントローラで光源信号を点灯／点滅するために光源コントロール信号を２００ｋＨｚのＰＷＭ動作信号の設定を行なう（ステップＳ９２０）。
【０１１２】
２００ｋＨｚでＬＥＤがＯｎ／Ｏｆｆを繰り返すように動作させ、シェーディングパッチ（Ｓｈａｄｉｎｇ  Ｐａｔｃｈ）（ステップＳ９３０）を介して出力電圧（Ｖｏｕｔ  Ｌｅｖｅｌ）をチェックする（ステップＳ９４０）。
【０１１３】
シェーディングデータレベル（Ｓｈａｄｉｎｇ  Ｄａｔａ  Ｌｅｖｅｌ）に異常がない場合（ステップＳ９４０で「Ｙ」）、その値をスキャン動作時に用いる（ステップＳ９５０）。
【０１１４】
シェーディングデータレベルに異常がある場合（ステップＳ９４０で「Ｎ」）、光源Ｏｎ／Ｏｆｆ（ＰＷＭ）信号の周波数及びデューティを調整する（ステップＳ９６０）。
【０１１５】
その後、再びシェーディングデータレベルをチェックして異常のない値を探してその値をセットする。この場合、周波数を下げ、デューティのＯｎ−ｄｕｔｙ時間を延ばしてセットすることが望ましい。
【０１１６】
図１４〜図１６は、交互点灯に対する多様な実施形態による照明系の制御方法を説明するための図である。
【０１１７】
図１４に示すように、交互点灯時に、それぞれのスキャンモジュールが互いに異なる回数だけ点灯するように制御する。
【０１１８】
例えば、原稿の第１面をスキャンするスキャンモジュール１の照明がＯＮされた後、所定時間が経過してからスキャンモジュール１の照明が点滅し、更に所定時間が経過した後にスキャンモジュール２の照明が点灯するように制御する。このような交互点灯が予め設定された信号によって同期されるようにし、この予め設定された信号の一周期内でスキャンモジュール１の照明の点灯回数とスキャンモジュール２の点灯回数とを相違するように設定する。
【０１１９】
ここで、予め設定された信号とは、上述の受光部のＬｉｎｅ−Ｔｉｍｅ（Ｓｈｕｔｔｅｒ  Ｔｉｍｅ）信号及びスキャンサブディレクション（Ｓｃａｎ  Ｓｕｂ−Ｄｉｒｅｃｔｉｏｎ）周期信号のうち、少なくともいずれか一つであってもよい。
【０１２０】
図１５に示すように、点灯時間のデューティを調節する方法があってもよい。
【０１２１】
具体的に、原稿の第１面をスキャンするスキャンモジュール１の照明がＯＮされた後、所定時間が経過してからスキャンモジュール１の照明が点滅し、更に所定時間が経過した後にスキャンモジュール２の照明が点灯するように制御する。このような交互点灯が予め設定された信号に応じて同期されるようにし、この予め設定された信号の一周期内でスキャンモジュール１の照明とスキャンモジュール２の照明とが交互点灯するように設定する際、それぞれの照明に対して照明が点灯される時間、即ちデューティを調節する。
【０１２２】
ここで、予め設定された信号とは、上述の受光部のＬｉｎｅ−Ｔｉｍｅ（Ｓｈｕｔｔｅｒ  Ｔｉｍｅ）信号及びスキャンサブディレクション（Ｓｃａｎ  Ｓｕｂ−Ｄｉｒｅｃｔｉｏｎ）周期信号のうち、少なくともいずれか一つであってもよい。
【０１２３】
なお、図１６に示すように、交互点灯を重複して使用する方法があってもよい。
【０１２４】
具体的に、原稿の第１面をスキャンするスキャンモジュール１の照明がＯＮされた後、所定時間が経過してからスキャンモジュール１の照明が点滅し、更に所定時間が経過した後にスキャンモジュール２の照明が点灯するように制御する。このような交互点灯は特定信号に応じて同期され、この場合、特定信号の一周期内でスキャンモジュール１の照明とスキャンモジュール２の照明とが交互点灯するように設定する際、照明干渉によるイメージ影響が微々たるものである場合、それぞれの照明が交互になる時点を重複させて使用することができる。
【０１２５】
これは、ＩＰ（Ｉｍａｇｅ  Ｐｒｏｃｅｓｓｉｎｇ）に関連するが、干渉を１％程度の水準にし、単なるテキスト（ＴＥＸＴ）のみがある原稿の場合、１０％以下にすることが望ましい。
【０１２６】
一方、他の実施形態によると、交互点灯でないもう一側のスキャンモジュール照明の光を弱く照射し、背面が透ける現象がイメージに影響を与えないようにするため、照明の光を弱く照射する方法として次のような方があってもよい。
【０１２７】
光に対する影響を少なくするために一側の照明の光を弱く照射する場合、背面が透ける現象が生じない一方で光が弱くなり画質が悪くなるため、上記のように光源を調節すると同時にその調節された量だけイメージデータのゲインファクタ（Ｇａｉｎ  Ｆａｃｔｏｒ）を自動的に変えるようにすることが望ましい。
【０１２８】
例えば、ＡＦＥのＰＧＡ（Ｐｒｏｇｒａｍｍａｂｌｅ  Ｇａｉｎ  Ａｍｐｌｉｆｉｅｒ）  Ｆａｃｔｏｒを調節したり、イメージデータのゲインファクタを減った分だけ増加させたりすればよい。或いは、メモリに保存されたシェーディングデータにその量だけ割合（Ｒａｔｉｏ）を調整して入ってくるイメージデータのゲインファクタを調整することにより、画質をより綺麗にすることができる。即ち、背面が透ける現象が生じないくらいに減った光の強さの分だけイメージデータを補償する。通常、光の量とイメージデータは正比例するため、光の量が５０％減ると、イメージデータのゲインファクタを２倍に増やす方法が望ましい。
【０１２９】
図１７は、上述のスキャンの制御方法を説明するためのフローチャートである。
【０１３０】
図１７に示すように、画像読取装置の制御部は、スキャンモジュール１又は２の一側の照明の光を弱く照射して（ステップＳ１１１０）背面が透ける現象が生じるか否かを判断する（ステップＳ１１２０）。
【０１３１】
背面が透ける現象が生じる場合は、照射する光を弱めて（ステップＳ１１３０）画質が綺麗か否かを判断し（ステップＳ１１４０）、画質が綺麗な場合はスキャンを行い（ステップＳ１１５０）、そうでない場合は減らした光の照射量に応じてイメージデータのゲインファクタを補正し（ステップＳ１１６０）、画質が綺麗になるまでステップＳ１１３０に戻ってその処理を繰り返す。
【０１３２】
背面が透ける現象が生じない場合は、画質が綺麗か否かを判断し（ステップＳ１１７０）、画質が綺麗な場合はスキャンを行い（ステップＳ１１５０）、そうでない場合はイメージデータのゲインファクタを補正して（ステップＳ１１６０）画質が綺麗になるまでステップＳ１１７０及びステップＳ１１８０の処理を繰り返す。
【０１３３】
この場合、ステップＳ１１４０及びステップＳ１１７０の画質が綺麗か否かの判断ブロックは省略してもよい。これは、上述のように、光の量とイメージデータのゲインファクタが正比例関係にあり、光の減った量を事前に把握することができるためである。画質が綺麗か否かの判断は、スキャンモジュールを用いて特定パターンを読み取ってその値を元の値と比較することにより判断できる。即ち、特定パターンの一部のみを読み取ることにより、図１７に示した構成のうち、画質が綺麗か否かの判断時間を減らすことができる。なお、これを用いて背面が透ける現象を判断することが望ましい。
【０１３４】
一方、スキャンモジュール１、２の光源部位の温度を測定して光源の点灯／点滅状態を確認する方法がある。
【０１３５】
交互点灯時、スキャンモジュールの点灯状態を把握するために、それぞれのスキャンモジュール光源の近隣に温度を測定できるサーミスタや温度測定器を取り付け、温度をチェックして点灯状態を確認し、交互点灯時にこれを用いることができる。
【０１３６】
このように、従来の両面スキャン時に２つのスキャンモジュールの照明が相手側のスキャンモジュールに影響を与えて照明による影響（Ｃｒｏｓｓ  Ｔａｌｋ）により背面が透ける現象などの問題が生じることを防止することができる。また、画像が影響を受ける場合、照明制御によりこれを補正して綺麗な画像を読み取ることができるようになる。
【０１３７】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【０１３８】
１００、２００    画像読取装置
１１０、２１０    第１スキャン部
１１１、２１１    光源１
１１２、２１２    センサ１
１２０、２２０    第２スキャン部
１２１、２２１    光源２
１２２、２２２    センサ２
１３０、２３０    原稿自動移送部
１４０、２４０、３７０    制御部
２５０    第１センサ部
２６０    第２センサ部
３００    画像形成装置
３１０    入力部
３２０    画像処理部
３３０    出力部
３４０    ユーザインターフェース部
３５０    通信インターフェース部
３６０    保存部
【図１】
2012142948.tif 000008
【図２】
2012142948.tif 000009
【図３】
2012142948.tif 000010
【図４】
2012142948.tif 000011
【図５】
2012142948.tif 000012
【図６】
2012142948.tif 000013
【図７】
2012142948.tif 000014
【図８】
2012142948.tif 000015
【図９】
2012142948.tif 000016
【図１０】
2012142948.tif 000017
【図１１】
2012142948.tif 000018
【図１２】
2012142948.tif 000019
【図１３】
2012142948.tif 000020
【図１４】
2012142948.tif 000021
【図１５】
2012142948.tif 000022
【図１６】
2012142948.tif 000023
【図１７】
2012142948.tif 000024